【事件の表示】
　特許第３０１３０６５号「パチンコ機」の請求項１ないし３に係る特許に対する特許異議の申立てについて、次のとおり決定する。
【結　論】
　訂正を認める。
　特許第３０１３０６５号の請求項１ないし３に係る特許を維持する。
【理　由】
第１．手続の経緯
　本件特許第３０１３０６５号の請求項１〜３に係る発明は、平成４年８月２７日の出願であって、平成１１年１２月１７日にその発明についての特許権の設定登録がなされ、その後、その特許について、町田彬より特許異議の申立てがなされ、平成１３年６月２８日付けで取消理由通知がなされ、これに対して、平成１３年９月１１日付けで特許異議意見書が提出され、平成１３年１２月２８日付けで再度の取消理由通知がなされ、その指定期間内である平成１４年１月３１日に特許異議意見書と共に訂正請求書が提出されたものである。
第２．訂正の適否についての判断
１．訂正の内容  
　訂正の内容は、下記の（イ）ないし（ト）のとおりである。
イ．訂正事項ａ
特許明細書の特許請求の範囲の請求項１の記載を、
「［請求項１］予め定められた種々の図柄を変動表示する複数の図柄表示器によって構成され球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されているものにあって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に最後に図柄停止する図柄表示器に複数の所定図柄を循環表示し、あらかじめ定められた特定循環周に、当り確率を変動させることなく、当たり組み合わせとなる図柄を増加させるようにした制御内容を備える制御指令手段を具備したことを特徴とするパチンコ機。」と訂正する。
ロ．訂正事項ｂ 
特許明細書の特許請求の範囲の請求項２の記載を、
「［請求項２］予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されているものにあって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、最後に図柄停止する図柄表示器に複数の所定図柄を循環表示し、乱数発生装置に基づいて不規則に選択された特定循環周に、当り確率を上昇させることなく、当たり組み合わせとなる図柄を増加させるようにした制御内容を備える制御指令手段を具備したことを特徴とするパチンコ機。」と訂正する。
ハ．訂正事項ｃ．
特許明細書の特許請求の範囲の請求項３の記載を、
「［請求項３］予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されているものにあって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、最後に図柄停止する図柄表示器に複数の所定図柄を循環表示し、先行して停止した図柄表示器の図柄内容に対応する所定条件に基づき、当り確率を上昇させることなく、当たり組み合わせとなる図柄を増加させるようにした制御内容を備える制御指令手段を具備したことを特徴とするパチンコ機。」と訂正する。
ニ．訂正事項ｄ
特許明細書の段落番号［０００４］（課題を解決するための手段）の記載を、
「【課題を解決するための手段】本発明の第一手段は、リーチ状態で、最後に図柄停止する図柄表示器の図柄変動速度を低速変動させると共に、最後に図柄停止する図柄表示器に複数の所定図柄を循環表示し、あらかじめ定められた特定循環周に、当り確率を上昇させることなく、当たり組み合わせとなる図柄を増加させるようにした制御内容を備える制御指令手段を具備したことを特徴とするものである。」と訂正する。
ホ．訂正事項ｅ
特許明細書の段落番号［０００５］の記載を、
「また第二手段は、リーチ状態で、最後に図柄停止する図柄表示器の図柄変動速度を低速変動させると共に、最後に図柄停止する図柄表示器に複数の所定図柄を循環表示し、乱数発生装置に基づいて不規則に選択された特定循環周に、当り確率を上昇させることなく、当たり組み合わせとなる図柄を増加させるようにした制御内容を備える制御指令手段を具備したことを特徴とするものである。」と訂正する。
ヘ．訂正事項ｆ
特許明細書の段落番号［０００６］の記載を、
「さらに第三手段は、．リーチ状態で、最後に図柄停止する図柄表示器の図柄変動速度を低速変動させると共に、最後に図柄停止する図柄表示器に複数の所定図柄を循環表示し、先行して停止した図柄表示器の図柄内容に対応する所定条件に基づき、当り確率を上昇させることなく、当たり組み合わせとなる図柄を増加させるようにした制御内容を備える制御指令手段を具備したことを特徴とするものである。」と訂正する。
ト．訂正事項ｇ
特許明細書の段落番号［００２５］の記載を、
「上述したように、この図柄組合わせ表示装置６の当たり、外れは前記始動口１４への入賞に伴って、あらかじめ乱数表を選択することによりその変動を生ずる前に決定されている。このため、前記各表示変動は、当たり確率が上昇したかに見えるだけであり、見掛け上、当たり図柄が表出したとしても、実際の確率には変動がない。」と訂正する。
２．訂正の目的の適否、新規事項の有無及び拡張変更の存否
　上記訂正事項ａ乃至ｃは、「当たり組合せとなる図柄を増加させる」という、何を特定しようとしているのか不明瞭であった記載を「図柄組合わせ表示装置の当たり、外れは入賞に伴ってあらかじめ乱数表を選択することにより決定されている．．．当り確率を変動させることなく、当たり組合せとなる図柄を増加させる」と当り確率を変動させるものでないことを明りょうにしたものであって、明りょうでない記載の釈明を目的とするものであり、そして、これらの訂正事項ａ乃至ｃは、特許明細書の段落［００１８］の記載に基づくものであり、特許明細書に記載された事項の範囲内において訂正するものであるから新規事項の追加に該当せず、また、実質上特許請求の範囲を拡張し又は変更するものでもない。また、上記訂正事項ｄ乃至ｇは訂正された特許請求の範囲の記載と発明の詳細な説明の項の記載とを整合するために訂正する明りょうでない記載の釈明を目的とするものであるから新規事項の追加に該当せず、また、実質上特許請求の範囲を拡張し又は変更するものでもない。
３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
第３．特許異議の申立てについて
１．異議申立ての理由の概要
　異議申立人町田彬は、下記の甲第１号証ないし甲第７号証を提示して、本件請求項１及び請求項２に係る発明は、甲第１号証ないし甲第６号証に記載された発明に基づいて当業者が容易に発明をすることができたものであるから、特許法第２９条第２項の規定により特許を受けることができない発明であって、その特許は取り消されるべきものであり、本件請求項３に係る発明は、本件発明の特許出願前の周知技術（甲第４号証ないし甲第６号証）を考慮すると、本件特許出願の日前の他の特許出願であって、本件発明の特許出願後に出願公開された甲第７号証に記載の発明と同一であり、かつ、本件発明の発明をした者と他の特許出願の発明をした者とが同一でなく、本件発明の特許出願の時に本件発明の特許出願人と他の特許出願の出願人とが同一の者でないから、特許法第２９条の２第１項の規定により特許を受けることができない発明であって、その特許は取り消されるべき旨主張している。
２．本件発明
　本件の請求項１ないし３に係る発明は、その訂正明細書及び図面の記載からみて、その特許請求の範囲の請求項１ないし３( 前記第２．１．イ．訂正事項ａ、ロ．訂正事項ｂ、ハ．訂正事項ｃ参照）に記載された事項により特定されたとおりのものである。( 以下、「本件発明１、本件発明２、本件発明３」という。)
３．引用刊行物
刊行物１：特開平０２−１３４１７８号公報（申立人提出の甲第１号証）
刊行物２：特開平０３−２１８７８１号公報（申立人提出の甲第２号証）
刊行物３：特開平０１−０６２１８０号公報（申立人提出の甲第３号証）
刊行物４：特開平０３−０５５０８１号公報（申立人提出の甲第４号証）
刊行物５：特開平０３−２５１２７８号公報（申立人提出の甲第５号証）
刊行物６：特開平０３−２５４７７１号公報（申立人提出の甲第６号証）
先願明細書：特願平３−３４２２７２号（特開平５−１５４２４３号公報）（申立人提出の甲第７号証） 
３．刊行物１乃至６及び先願明細書に記載された発明
　イ．刊行物１〔特開平０２−１３４１７８号公報〕には、可変表示装置付弾球遊技機に関し、以下の記載が認められる。
  「可変入賞球装置５６の下方には、前記ドラム状可変表示部材７９ａ〜７９ｃの回転．．．払出される景品玉数は、他の入賞領域に打玉が入賞した際に払出される景品玉数よりも少なくなるように設定されている。また、始動入賞口１５ａ〜１５ｃには、始動スイッチ１６ａ〜１６ｃが一体的に設けられ、始動入賞口１５ａ〜１５ｃに入賞した打玉を検出して後述するマイクロコンピュータ１１０に検出信号を送るようになっている。」（刊行物１の第３頁左上欄第２０行〜右上欄第１３行）、
「ドラム状可変表示部材７９ａ〜７９ｃの表示態様と可変表示器７６との表示態様との組み合せが予め定められた特定表示状態であるときに特定遊技状態となって可変入賞球装置５６を遊技者に有利な第１の状態に変化させるものである。」（同第６頁右上欄第１０行〜第１４行）、
「上記したドラム状可変表示部材７９ａ〜７９ｃ及び可変表示器７６の特定表示状態の組み合せについては、以下のように設定されている。すなわち、特定表示状態となるためには、ドラム状可変表示部材７９ａ〜７９ｃの中央部分（拡大レンズ部７５）に表示される表示が「ゾロ目」( 後述するようにドラム状可変表示部材７９ａ〜７９ｃは、「０〜９」の１０種類の数字を表示する）で、可変表示器７６に５種類の中から「７」又は「Ｆ」が表示されたときに特定表示状態となる。しかしてドラム状可変表示部材７９ａ〜７９ｃにおいて「ゾロ目」が出る確率は、（１/１０×１/１０×１/１０）×１０＝１０/１０００＝１/１００である。一方、可変表示器７６に「７」又は「Ｆ」が表示される確率は、第６Ａ図に示すように、３段階に設定され、その３つの段階を前記始動入賞口１５ａ〜１５ｃにそれぞれ対応させている。すなわち、中央の始動入賞口１５ａ（始動入賞口Ａ）に打玉が入賞するとデータａが選択設定され、左側の始動入賞口１５ｂ（始動入賞口Ｂ）に打玉が入賞するとデータｂが選択設定され、右側の始動入賞口１５ｃ（始動入賞口Ｃ）に打玉が入賞するとデータｃが選定設定されるようになっている。しかして、データａにおいては、１０個の識別情報のうち４個が「７」又は「Ｆ」であり、データｂにおいては、１０個の識別情報のうち５個が「７」又は「Ｆ」であり、データｃにおいては、１０個の識別情報のうち６個が「７」又は「Ｆ」である。したがって、ドラム状可変表示部材７９ａ〜７９ｃの表示が「ゾロ目」で、且つ可変表示器７６の表示が「７」又は「Ｆ」である特定表示状態の発生確率は、第６B図に示すようになる。」（同第６頁左下欄第１１行〜第７頁左上欄第３行）、
「第６Ａ図においては、当りデータ・外れデータの両方が増減するようにしたが、どちらか一方を増減させるようにしてもよい。この場合には、当然のことながらデータの総数が設定値毎に異なってくる。また、データの内容を増減する代わりに、各データの表示される表示時間の長さを変化させるようにしてもよい。」（同第７頁右上欄第１３行〜第１９行）、
「この実施例では、ドラム状可変表示部材７９ａ〜７９ｃの設定確率を変化させるようになっていないが、これを変化させることができるように構成して、ドラム状可変表示部材７９ａ〜７９ｃだけで設定確率を変化させても良い。例えば、ドラムが２つ停止した時点で投光器をＯＮし、このとき３つ揃う可能性があれば、残り１つのドラムが回転しているときに、その揃うこととなる識別情報が遊技盤前面側を通過するときに瞬間的に所定の受光器がＯＮすることになるため、この受光器がＯＮしてから所定のタイミングで残り１つのドラムの停止制御を行うようにすればよい。この場合、当り停止制御するか外れ停止制御するかを決定するデータの内容を３つの始動入賞口Ａ〜Ｃのうちのどの始動入賞口に打玉が入賞したかによって選択設定できるようにする。例えば、先に停止した２つのドラムが「ゾロ目；確率１０／１００（＝１／１０）」を出したときに、残り１つのドラムに３つゾロ目となる識別情報を出させるデータとして、第７図に示すように、始動入賞口Ａに打玉が入賞した場合、ゾロ目停止指令データ数；３　外れ停止指令データ数；３７　２つゾロ目となっている場合において３つ目がゾロ目になる確率（以下、ゾロ目確率という）；３／４０、始動入賞口Ｂに打玉が入賞した場合、ゾロ目停止指令データ数；４　外れ停止指令データ数；３６　ゾロ目確率４／４０、始動入賞口Ｃに打玉が入賞した場合、ゾロ目停止指令データ数；５外れ停止指令データ数；３５　ゾロ目確率；５／４０、とし、可変表示器７６が「７」又は「Ｆ」となる確率「５／１０（＝１／２）」に固定したとすれば、それぞれの場合のトータル確率は、上から順に「３／８００」「４／８００」「５／８００」となる。なお、上記した当り外れのデータをランダムに選択するようにすればよい。ただし、この場合一度選択されたデータは、元に戻して再度選択の対象にする。」（第９頁左上欄第１２行〜左下欄第１０行）、
「ドラムソレノイド９８ａ〜９８ｃがＯＮ（励磁）する（スッテップ１５）。更にドラムソレノイド９８ａ〜９８ｃがＯＮされた後、ドラム状可変表示部材７９ａ〜７９ｃのラチェット歯車８９ａ〜８９ｃとストップレバー１０２ａ〜１０２ｃの鈎部１０３ａ〜１０３ｃとの係合を完全に解除するために、微小時間（約１００ｍｓ）だけ時間を経過させてから（ステップＳ１６）、ドラム回転制御信号及びディジタル可変表示開始信号をモータ回路１２７及びディジタル表示駆動回路１３２に与えて、ドラムモータ８２及び可変表示器７６を回転及び可変駆動させて、ドラム状可変表示部材７９ａ〜７９ｃ及び可変表示器７６の可変表示を開始させる（ステップＳ１７）」（第１１頁右下欄第３行〜第１６行）、
「可変表示開始から一定時間経過した後には、１０通りの時間の中から、ランダムに選択された１つの時間ＴＲ１経過させた（ステップＳ２１）後に、まず左のドラム状可変表示部材７９ａが停止される（ステップＳ２２）。これはマイクロコンピュータ１１０がソレノイド回路１２８に対して励磁停止信号を送り、ドラムソレノイド９８ａを消勢させることによって行われる。また、それと同時にアンプ１３３に音声信号を与えて、左のドラム状可変表示部材７９ａが停止したことを表示する音声をスピーカー８から発生させる（ステップＳ２３）。左のドラム状可変表示部材７９ａが停止した後、再度、１０通りの時間の中から、ランダムに選択された１つの時間ＴＲ２経過後に（ステップＳ２４）、ドラムソレノイド９８ｂがＯＦＦされて中央のドラム状可変表示部材７９bが停止される（ステップＳ２５）とともに、中央のドラム状可変表示部材７９ｂが停止したことを表示する音声が発生させられる（ステップＳ２６）。更に、中央のドラム状可変表示部材７９ｂが停止した後、同様に、１０通りの時間の中から、ランダムに選択された１つの時間ＴＲ３経過後に（ステップＳ２７）、ドラムソレノイド９８ｃがＯＦＦされて右のドラム状可変表示部材７９ｃが停止される（ステップＳ２８）とともに、右のドラム状可変表示部材７９ｃが停止したことを表示する音声が発生させられる（ステップＳ２９）。なお、上記した微小時間ＴＲ１の時間の選択は、停止条件成立時に行ってもよいし、始動入賞時に行うようにしてもよい。同様に、微小時間ＴＲ２、ＴＲ３及び後述するＴＲ４の時間の選択は、始動入賞時に行ってもよいし、停止条件成立時に行ってもよいし、先の微小時間ＴＲｎ−１（ｎ＝２〜４）の経過時に行うようにしてもよい。３つのドラム状可変表示部材７９ａ〜７９ｃが停止した後に、マイクロコンピュータ１１０から、投光器回路１２６に制御信号が与えられて、投光器９４ａ〜９４ｅが点灯される（ステップＳ３０）。投光器９４ａ〜９４ｅが点灯された後、１０通りの時間の中から選択された１つの微小時間ＴＲ４を経過させる（ステップＳ３１）。ステップＳ３１で微小時間ＴＲ４が経過した後に、前記ステップＳ１３で選択設定されたディジタルデータに基づいて可変表示していた可変表示器７６のディジタル可変表示が停止し（ステップＳ３２）、それが停止した旨が報知される（ステップＳ３３）。上記のようにしてすべてのドラム状可変表示部材７９ａ〜７９ｃ及び可変表示器７６が停止した後に、ドラム状可変表示部材７９ａ〜７９ｃの表示が「ゾロ目」で、且つ可変表示器７６のディジタルの表示が「７」又は「Ｆ」を表示しているか否かが判別される（ステップＳ３４）。すなわち、特定表示状態となっているか否かが判別される。」（同第１２頁左上欄第８行〜右下欄第２行）、
「また可変表示部材（回転ドラムを含む）及び可変表示器の可変表示は、電源投入時より開始させ、始動入賞によりあらためて可変開始する構成のものでもよい。その場合、始動入賞により可変開始したことを明確化するために可変表示部材、あるいは可変表示器の可変表示の明るさを切り換えたり、可変表示の速さを切り換えたりする方が好ましい。」（同第１３頁右上欄第７行〜第１４行）。  
ロ．刊行物２〔特開平０３−２１８７８１号公報〕には、弾球遊技機に関し、以下の記載が認められる。
「７セグメントＬＥＤ３６は、前記したように大当り状態の成立や繰り返し条件の成立を遊技者に視認させるものであり、この実施例においては、通常奇数が順次可変表示されるようになっている。」（刊行物２の第５頁右上欄第１０行〜第１４行）、
「特定表示態様が表示される確率の増加態様として、特定表示態様を１種類（例えば、「７」）とし、その１つの特定表示態様が表示される内部確率を変化（例えば、表示される時間を長くする）させるようにしてもよいし、順次可変表示される表示態様の順列の中でその１つの特定表示態様の数を増加させてもよい。また、第１の始動入賞口と第２の始動入賞口とで、異なる可変表示装置を対応させ、それぞれの可変表示装置で特定表示態様が表示される確率が異なるようにしてもよい。更に、確率の変更が生じたときには、可変表示装置で表示される発光色を変化させるものを使用しても良い。」（同第９頁右上欄第１５行〜左下欄第７行）、
「可変表示装置も１個だけでなく、複数個設けてそれらの組合せを利用して、特定遊技状態を発生させるように制御しても良い。」（同第９頁右下欄第１０行〜第１２行）。
ハ．刊行物３〔特開平０１−０６２１８０号公報〕には、弾球遊技機に関し、以下の記載が認められる。 
「特別表示状態が上記した確率「３／１０００」で出現した後、制御回路は、出現確率の高い特定表示状態を表示するように制御する。しかして、その出現確率を高めるように制御する方法として、データＢおよびデータＣに示すように、３つのディジタル式可変表示部材２０１〜２０３のうち、左側および中央のディジタル式可変表示部材２０２に表示される数字パターンを変化させるようにすれば良い。すなわち、まず、左側のディジタル表示器２０１において、データＢに示されるように、データＡで示された数字配列のうち、「４」および「６」を「７」に変えて表示し、その「７」が連続して表示（時間的に５倍表示する）されるようにしたり、あるいはデータＣに示されるように、奇数の数字をすべて「７」に変えて表示し、１周期のうちに「７」が交互に表示されるようにすれば、左側のディジタル式可変表示部材２０１に「７」の表示される確率は「５／１０」となる。次に、中央のディジタル表示器２０２において、データＢに示されるように、０〜９までの数字のうち「６」を「７」に変えて表示し、その「７」が連続して表示（時間的に２倍表示する）されるようにしたり、あるいはデータＣに示されるように、「２」を「７」に変えて表示し、１周期のうちに「７」が２回表示されるようにすれば、中央のディジタル式可変表示部材２０２に７」の表示される確率は「２／１０」となる。したがって、３つのディジタル式可変表示部材２０１〜２０３において、特定表示状態としての「７、７、７」が表示される確率は、それらを乗算した「１０／１０００」となる。」（刊行物３の第１６頁左下欄第１行〜右下欄第１１行）。
ニ．刊行物４〔特開平０３−０５５０８１号公報〕には、パチンコ機の画像表示装置に関し、以下の記載が認められる。  
「遊技部３に発射された打球がうまく特定入賞口６ａ〜６ｃに入賞すると、デジタル上部の壷部材４１が昇降され、デジタル５２に「壷とサイコロ」のキャラクターが表示された後（第２９図参照）、デジタル５２の図柄が第３０図のように上方から下方へ回転を始める。次に、デジタル５２の自然停止時間が経過するとあるいはストップスイッチ１３１が押されると、乱数ＳＵＢＧＥＮによるα時間後に乱数ＲＮＤＧＥＮ、ＲＡＮＤＯＭ、ＨＩＴＧＥＮが抽出され、各乱数により大当たりかどうかおよび左、中、右デジタルＡ、Ｂ、Ｃに停止する図柄が決定される。左デジタルＡの所定回転時間が経過すると、左デジタルＡは第３１図のように停止図柄のいくつか前の図柄に切り換えられ、緩やかな速度でスクロールしながら定位置に停止する。この停止後、中デジタルＢの所定回転時間が経過すると、中デジタルＢは同様に停止図柄のいくつか前の図柄に切り換えられ、緩やかな速度でスクロールしながら定位置に停止する。そして、これらの停止後、右デジタルＣの所定回転時間が経過すると、右デジタルＣは同様に停止図柄のいくつか前の図柄に切り換えられ、この場合左デジタルＡと中デジタルＢの停止図柄がリーチ目（同一の大当たり図柄）であれば、壷部材４１が昇降されるとともに、右デジタルＣは左デジタルＡ、中デジタルＢよりもさらに緩やかな速度でランダム時間（ε時間）スクロールし、定位置に停止する。また、左デジタルＡと中デジタルＢの停止図柄がリーチ目でなければ、右デジタルＣは左、中デジタルＡ、Ｂと同様にスクロールし、停止する。」（刊行物４の第１２頁右下欄第５行〜第１３頁左上欄第１５行）、
「左、中デジタルＡ、Ｂの停止図柄が同一となると．．．最後に停止する右デジタルＣがランダムな時間穏やかにスクロールして一義的に停止しない」（同第１３頁右上欄第２行〜第６行）。
ホ．刊行物５〔特開平０３−２５１２７８号公報〕には、パチンコ遊技機に関し、以下の記載が認められる。  
「特に、この“大当り”が通常の可変表示ゲームの結果として発生したものであったときには、その“大当り”の遊技が終了した時からその後に再度“大当り”が発生するまでの期間に限り、その間に行なわれる可変表示ゲームの．．．の変化を前記変動時間短縮ボタン（ストップスイッチ）１１０の操作で狙いをつけて停止させられるようになるので、通常の可変表示ゲームと比べて“大当り”発生の確率が高くなる。」（刊行物５の第５頁右上欄第１１行〜左下欄第６行）。
ヘ．刊行物６〔特開平０３−２５４７７１号公報〕には、パチンコ機に関し、以下の記載が認められる。  
「上記した変動停止の態様は、表示部１３ａ〜１３ｃのうち先に停止する左右の表示部１３ａ，１３ｃに特定図柄である「７」が揃って表示されないときであり、左右の表示部１３ａ，１３ｃに特定図柄である「７」が揃って表示されたとき（通常、リーチ状態という）には、中央の表示部１３ｂの変動表示制御が以下のように行われる。すなわち、右側の表示部１３ｃが変動停止して特定図柄である「７」が表示された直後から、中央の表示部１３ｂでのスクロール速度が緩やかになって、変動表示する図柄を遊技者が認識できるようになる。」（刊行物６の第５頁右上欄第２行〜第１３行）。
ト．先願明細書〔特願平３−３４２２７２号（特開平５−１５４２４３号公報）〕には、可変表示装置付遊技機に関し、以下の記載が認められる。  
「【００１０】次に、図１乃至図３を参照して、可変表示装置２０の構成について説明する。図１において、可変表示装置２０は、前記遊技盤１１の表面に取り付けられる取付基板２１を有し、その取付基板２１の中央に「十」字状に複数の可変表示器２２、２３、２４ａ〜２４ｃが設けられている。図示の可変表示器２２、２３、２４ａ〜２４ｃは、ドットＬＥＤ表示器によって構成されるもので、複数の図柄を表示するようになっている。例えば、「１」〜「８」までの８個の数字と「Ｆ」「Ｖ」の２つの英文字の合計１０種類の図柄を順次連続的にスクロール表示するようになっている。そして、上記１０種類の図柄のうち、「７」「Ｆ」「Ｖ」が特定識別情報として設定され、それ以外の図柄が通常識別情報として設定されている。本実施例においては図２及び図３に示すように、特定識別情報として設定される図柄は、通常識別情報として設定される図柄よりも遊技者の注意を喚起し得るように、図柄の輪郭が太く表示されるようになっている。【００１１】また、可変表示器２２、２３、２４ａ〜２４ｃは、前記始動入賞口３５、４２ａ，４２ｂに打玉が入賞して始動入賞玉検出器２６、４３ａ，４３ｂをＯＮさせたときに、変動表示を開始し、所定時間が経過したときに左、右、中の順に停止されるように表示制御されるが、その停止時の図柄の組合せ位置として、左右の２つの可変表示器２２、２３に表示される図柄が同じ図柄であって通常識別情報が表示されたときには、中の可変表示器２４ａ〜２４ｃのうち中央の可変表示器２４ｂに左右と同一の図柄が表示されたとき（図３に示す場合）に特定遊技状態となり、一方、左右の２つの可変表示器２２、２３に表示される図柄が同じ図柄であって特定識別情報が表示されたときには、中の可変表示器２４ａ〜２４ｃのいずれかに左右と同一の図柄が表示されたとき（図２に示す場合）に特定遊技状態となる。」（先願明細書の第３欄第２７行〜第４欄第９行）、
「なお、左右の可変表示器２２、２３の停止時に表示される図柄が一致したリーチ状態時には、それと同じ図柄が可変表示器２４ａ〜２４ｃに移動表示される際にその変動速度が他の図柄の変動速度よりも遅くなるように表示制御される。」（同第４欄第３０行〜第３４行）、
「【００２０】以上、説明した可変入賞球装置４０の特定遊技状態時における概略動作を説明すると、まず、特定遊技状態になると、玉受部材４４ａ，４４ｂが一定時間（例えば、２５秒）経過するまで又はその一定時間内であって玉受部材４４ａ，４４ｂに受け入れられた入賞玉が所定個数（例えば、１０個）に到達するまで開放する。このような開放を開放サイクルという。しかして、当該開放サイクル中に入賞玉が特定入賞口４６に入賞して特定入賞玉検出器４８をＯＮさせたときには、継続権が発生し、次の開放サイクルの実行が留保される。そして、このような開放サイクルの繰り返しは、各開放サイクルにおいて継続権が成立していることを条件として所定回数（例えば、１６回）許容される。したがって、特定遊技状態になると、短時間に多量の入賞玉を獲得できるチャンスが与えられることになる。なお、開放サイクル中に許容される入賞玉の数は、入賞個数検出器４９ａ，４９ｂと特定入賞玉検出器４８とによって検出された入賞玉の検出信号の合計に基づいて算出される。」（同第６欄第２７行〜第４４行）、
「【００２２】以上、可変表示装置２０及び可変入賞球装置４０を含むパチンコ遊技機１について説明してきたが、このパチンコ遊技機１は、前記コントロール基板５０に組み込まれる図５の遊技制御回路によって制御される。」（同第７欄第６行〜第１０行）、
「【００２５】なお、上記した実施例（以下、第１実施例という）では、組合せ態様の増加として組合せ有効ライン数が増加するものを示したが、ほぼ同一の技術思想を応用したものとして、図７及び図８に示す実施例（以下、第２実施例という）のように、予め定めた特別識別情報（図示の場合、シャープの図柄と音符の図柄）との関係において、通常識別情報と特別識別情報との組合せのときには、特定遊技状態とならず、特定識別情報と特別識別情報との組合せが成立したときには、特定遊技状態とするものが考えられる。なお、第２実施例においても、「７」「Ｆ」「Ｖ」が特定識別情報として設定され、それ以外の図柄が通常識別情報として設定されている。【００２６】以下、この第２実施例について簡単に説明する。第２実施例に係る可変表示装置８０は、遊技盤１１に取り付けらる取付基板８１の上部に入賞口８２、始動入賞記憶表示器８３、及び飾りＬＥＤ８４が設けられ、下方に液晶（ＬＣＤ）からなる１つの可変表示器８５が設けられている。この可変表示器８５は、１つであるが、複数（３つ）の図柄を可変表示することが可能なように表示制御されるので、複数の可変表示部材を有するものといえる。また、３つ表示される図柄は、左、中、右の順に停止制御されるようになっている。【００２７】しかして、可変表示装置８０の可変表示器８５に表示される図柄が、同一図柄が３つ揃ったときに特定遊技状態とされる。この場合、左、中に停止表示された図柄が同一の通常識別情報であるときには、右に停止表示される図柄も同一の通常識別情報でなければ、特定遊技状態とならないが、左、中に停止表示された図柄が同一の特定識別情報であるときには、右に停止表示される図柄が同一の特定識別情報であるときには当然特定遊技状態となるが、更に特別識別情報が右に停止表示されたときにも特定遊技状態となるように設定されている。したがって、表示される識別情報の種類によって特定遊技状態となる可能性が異なるような印象を遊技者に与えることができので、可変表示装置の表示結果に遊技者の興味が集中し、遊技に抑揚を与えることができると共に遊技者の興味を引き付けることができる。【００２８】なお、特定識別情報と特別識別情報との組合せにおいても、図８に示すように、特定識別情報の種類によって特定遊技状態となったり特定遊技状態とならないように区別しても良い。例えば、特定識別情報が「７」の場合には、２つあるいずれの特別識別情報との組合せ８５ａ，８５ｂとなったときには、特定遊技状態となるが、特定識別情報が「Ｆ」又は「Ｖ」の場合には、いずれか一方の特別識別情報（図示の場合には、シャープ）との組合せ８５ｃ，８５ｄとなったときに特定遊技状態とするようにしても良い。」（同第７欄第４９行〜第８欄第４６行）、
「組合せ態様が増加したときに、実際に特定遊技状態となる確率は、ソフト上増加しても良いし、あるいは一定のままでも良い。」（同第９欄第４行〜第６行）。
４．当審の判断
イ．本件発明１について
　本件発明１と各刊行物１乃至刊行物６に記載の発明とを対比すると、いずれの刊行物に記載の発明においても、本件発明１を特定する事項である「あらかじめ定められた特定循環周に、当り確率を変動させることなく、当たり組み合わせとなる図柄を増加させるようにした制御内容を備える制御指令手段を具備した」構成について記載も示唆もされていない。
　そして、本件発明１はこの構成により、「この図柄組合わせ表示装置６の当たり、外れは前記始動口１４への入賞に伴って、あらかじめ乱数表を選択することによりその変動を生ずる前に決定されている。このため、前記各表示変動は、当たり確率が増大したかに見えるだけであり、見掛け上、当たり図柄が表出したとしても、実際の確率には変動がなく、リーチ状態で、基本循環図柄とは別に、当たり図柄が、急に増加して出没することとなる。このため、遊戯者の目は、出没する図柄に注がれ、当たり表示の可能性に対する期待を大いに刺激されると共に、この突如出没する図柄で当りとなったときには、本来の満足感以上の幸運を味わうことができるものであり、意外感と、期待感とを醸成され、パチンコ遊戯の興趣を増大し得る」という、各刊行物１乃至刊行物６に記載の発明からは期待できない顕著な作用効果を奏するものである。
　以下、本件発明１と各刊行物に記載の発明とを具体的に対比検討するに、刊行物１には、本件発明１に関し、予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されている可変表示装置付き弾球遊技機が記載されており、その複数設けた始動口毎に入賞時に可変表示器を可変表示させる可変表示時のデータが設定されており、各データ毎に特定表示状態となる発生確率を異なるように設定している点が記載されているが、本件発明１を特定する構成である図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に最後に図柄停止する図柄表示器に複数の所定図柄を循環表示し、あらかじめ定められた特定循環周に、当り確率を変動させることなく、当たり組み合わせとなる図柄を増加させるようにした制御内容を備える構成については記載されていない。そして、当たり組み合わせとなる図柄を増加させるようにした制御内容を備えた点については刊行物２に当たり表示が表示される確率を変更したり当たり表示の数を増加させる点が、刊行物３に当たり表示が出現した後は当たりの出現確率を高くする点が記載されており、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させる点については、刊行物４乃至刊行物６に記載されているが、「最後に図柄停止する図柄表示器に複数の所定図柄を循環表示し、あらかじめ定められた特定循環周に、当り確率を変動させることなく、当たり組み合わせとなる図柄を増加させるようにした制御内容を備える」構成については、刊行物２乃至刊行物６のいずれにも記載がない。
　なお、異議申立人は本件請求項１の記載では「当たり組み合わせとなる図柄を増加させる」手法として、実際の当たり確率を変動させる確率変動によるものも含まれるので、この点について、本件発明１と刊行物１、２、３記載の発明には相違がないと主張するが、前記のように平成１４年１月３１日付け訂正請求書による訂正が認められ「当たり組み合わせとなる図柄を増加させる」手法に実際の当たり確率を変動させる確率変動によるものは含まれないことが明りょうになったので、異議申立人の主張は採用できないものとなった。
　したがって、本件発明１は刊行物１乃至刊行物６に記載の発明に基づいて当業者が容易に発明をすることができたものではないというべきである。
ロ．本件発明２について
　本件発明２と各刊行物１乃至刊行物６に記載の発明とを対比すると、いずれの刊行物に記載の発明においても、本件発明２を特定する事項である「乱数発生装置に基づいて不規則に選択された特定循環周に、当り確率を上昇させることなく、当たり組み合わせとなる図柄を増加させるようにした制御内容を備える制御指令手段を具備した」構成について記載も示唆もされていない。
　そして、本件発明２はこの構成により、「この図柄組合わせ表示装置６の当たり、外れは前記始動口１４への入賞に伴って、あらかじめ乱数表を選択することによりその変動を生ずる前に決定されている。このため、前記各表示変動は、当たり確率が増大したかに見えるだけであり、見掛け上、当たり図柄が表出したとしても、実際の確率には変動がなく、リーチ状態で、基本循環図柄とは別に、当たり図柄が、急に増加して出没することとなる。このため、遊戯者の目は、出没する図柄に注がれ、当たり表示の可能性に対する期待を大いに刺激されると共に、この突如出没する図柄で当りとなったときには、本来の満足感以上の幸運を味わうことができるものであり、意外感と、期待感とを醸成され、パチンコ遊戯の興趣を増大し得る」という、各刊行物１乃至刊行物６に記載の発明からは期待できない顕著な作用効果を奏するものである。
　以下、本件発明２と各刊行物に記載の発明とを具体的に対比検討するに、刊行物１には、本件発明２に関し、予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されている可変表示装置付き弾球遊技機が記載されており、その複数設けた始動口毎に入賞時に可変表示器を可変表示させる可変表示時のデータが設定されており、各データ毎に特定表示状態となる発生確率を異なるように設定している点が記載されているが、本件発明２を特定する構成である図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に最後に図柄停止する図柄表示器に複数の所定図柄を循環表示し、乱数発生装置に基づいて不規則に選択された特定循環周に、当り確率を変動させることなく、当たり組み合わせとなる図柄を増加させるようにした制御内容を備える構成については記載されていない。そして、当たり組み合わせとなる図柄を増加させるようにした制御内容を備えた点については甲第２号証及び甲第３号証に記載され、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させる点については、甲第４号証乃至６号証に記載されているが、最後に図柄停止する図柄表示器に複数の所定図柄を循環表示し、乱数発生装置に基づいて不規則に選択された特定循環周に、当り確率を変動させることなく、当たり組み合わせとなる図柄を増加させるようにした制御内容を備える構成については、刊行物２乃至刊行物６のいずれにも記載がない。なお、異議申立人は本件請求項２の記載では「当たり組み合わせとなる図柄を増加させる」手法として、実際の当たり確率を変動させる確率変動によるものも含まれ、本件発明２と刊行物１、２、３記載の発明には相違がないと主張するが、前記訂正が認められ「当たり組み合わせとなる図柄を増加させる」手法に実際の当たり確率を変動させる確率変動によるものは含まれないことが明りょうになったので、異議申立人の主張は採用できないものとなった。
　したがって、本件発明２は刊行物１乃至刊行物６に記載の発明に基づいて当業者が容易に発明をすることができたものではないというべきである。
ハ．本件発明３について
　本件発明３と先願明細書記載の発明とを対比すると、先願明細書には、本件発明３を特定する事項である「図柄組合わせ表示装置の当たり、外れは入賞に伴ってあらかじめ乱数表を選択することにより決定されている」構成及び「当たり組み合わせとなる図柄を増加させるようにした制御内容を備える制御指令手段を具備した」構成について記載されていない。
　以下、本件発明３と先願明細書記載の発明とを具体的に対比検討するに、先願明細書には、本件発明３に関し、予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器で所定の組合わせ図柄と同じ図柄の変動速度を低速変動させると共に、最後に図柄停止する図柄表示器に複数の所定図柄を循環表示し、先行して停止した図柄表示器の図柄内容に対応する所定条件に基づき、特定遊技状態となる組み合わせ態様を増加させるようにした可変表示装置付遊技機が記載されているが、本件発明３を特定する構成である「図柄組合わせ表示装置の当たり、外れは入賞に伴ってあらかじめ乱数表を選択することにより決定されている」点についても、「当たり組み合わせとなる図柄を増加させるようにした制御内容を備える制御指令手段を具備した」構成についても記載がない。精査するに、先願明細書においては、最後に図柄停止する図柄表示器に複数の所定図柄を循環表示するとき、循環表示中において特定の図柄を増加させているわけではなく、当たりでなかった図柄を当たりとすると定めているのに対して、本件発明３においては、循環周に、当たりである特定の図柄の数を増加させている点、要するに両者は、当たり組合せの数を増やすか、当たり図柄の数を増やすかで相違している。したがって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させる点が、刊行物４乃至刊行物６の記載により周知と認められても、少なくとも上記当たり組み合わせとなる図柄を増加させるようにした制御内容を備える制御指令手段を具備した構成について先願明細書に記載がなく、前記構成が本件発明３の特許出願前の周知技術であるということもできないから、先願明細書に記載の発明と本件発明３とが同一であるということができない。
５．むすび
　以上のとおりであるから、特許異議の申立ての理由によっては本件請求項１乃至３に係る発明についての特許を取り消すことができない。
　また、他に本件請求項１乃至３に係る発明についての特許を取り消すべき理由を発見しない。
　したがって、本件請求項１乃至３に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月１日（２００２．３．１）
【訂正の要旨】
　訂正の要旨
ｉ．訂正事項ａ
特許明細書の特許請求の範囲の請求項１の記載を、明りょうでない記載の釈明を目的として「［請求項１］予め定められた種々の図柄を変動表示する複数の図柄表示器によって構成され球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されているものにあって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に最後に図柄停止する図柄表示器に複数の所定図柄を循環表示し、あらかじめ定められた特定循環周に、当り確率を変動させることなく、当たり組み合わせとなる図柄を増加させるようにした制御内容を備える制御指令手段を具備したことを特徴とするパチンコ機。」と訂正する。
ｉｉ．訂正事項ｂ
特許明細書の特許請求の範囲の請求項２の記載を、明りょうでない記載の釈明を目的として「［請求項２］予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されているものにあって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、最後に図柄停止する図柄表示器に複数の所定図柄を循環表示し、乱数発生装置に基づいて不規則に選択された特定循環周に、当り確率を上昇させることなく、当たり組み合わせとなる図柄を増加させるようにした制御内容を備える制御指令手段を具備したことを特徴とするパチンコ機。」と訂正する。
ｉｉｉ．訂正事項ｃ．
特許明細書の特許請求の範囲の請求項３の記載を、明りょうでない記載の釈明を目的として「［請求項３］予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、図柄組合わせ表示装置の当たり、外れは入賞に伴ってあらかじめ乱数表を選択することにより決定されているものにあって、図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、最後に図柄停止する図柄表示器に複数の所定図柄を循環表示し、先行して停止した図柄表示器の図柄内容に対応する所定条件に基づき、当り確率を上昇させることなく、当たり組み合わせとなる図柄を増加させるようにした制御内容を備える制御指令手段を具備したことを特徴とするパチンコ機。」と訂正する。
ｉｖ．訂正事項ｄ
特許明細書の段落番号［０００４］（課題を解決するための手段）の項を、明りょうでない記載の釈明を目的として「【課題を解決するための手段】本発明の第一手段は、リーチ状態で、最後に図柄停止する図柄表示器の図柄変動速度を低速変動させると共に、最後に図柄停止する図柄表示器に複数の所定図柄を循環表示し、あらかじめ定められた特定循環周に、当り確率を上昇させることなく、当たり組み合わせとなる図柄を増加させるようにした制御内容を備える制御指令手段を具備したことを特徴とするものである。」と訂正する。
ｖ．訂正事項ｅ
特許明細書の段落番号［０００５］を、明りょうでない記載の釈明を目的として「また第二手段は、リーチ状態で、最後に図柄停止する図柄表示器の図柄変動速度を低速変動させると共に、最後に図柄停止する図柄表示器に複数の所定図柄を循環表示し、乱数発生装置に基づいて不規則に選択された特定循環周に、当り確率を上昇させることなく、当たり組み合わせとなる図柄を増加させるようにした制御内容を備える制御指令手段を具備したことを特徴とするものである。」と訂正する。
ｖｉ．訂正事項ｆ
特許明細書の段落番号［０００６］を、明りょうでない記載の釈明を目的として「さらに第三手段は、リーチ状態で、最後に図柄停止する図柄表示器の図柄変動速度を低速変動させると共に、最後に図柄停止する図柄表示器に複数の所定図柄を循環表示し、先行して停止した図柄表示器の図柄内容に対応する所定条件に基づき、当り確率を上昇させることなく、当たり組み合わせとなる図柄を増加させるようにした制御内容を備える制御指令手段を具備したことを特徴とするものである。」と訂正する。
ｖｉｉ．訂正事項ｇ
特許明細書の段落番号［００２５］を、明りょうでない記載の釈明を目的として「上述したように、この図柄組合わせ表示装置６の当たり、外れは前記始動口１４への入賞に伴って、あらかじめ乱数表を選択することによりその変動を生ずる前に決定されている。このため、前記各表示変動は、当たり確率が上昇したかに見えるだけであり、見掛け上、当たり図柄が表出したとしても、実際の確率には変動がない。」と訂正する。
（５４）【発明の名称】
パチンコ機
（５７）【特許請求の範囲】
　【請求項１】　予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、
図柄組合わせ表示装置の当たり、外れは入賞に伴ってあらかじめ乱数表を選択することにより決定されている
図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、
　最後に図柄停止する図柄表示器に複数の所定図柄を循環表示し、あらかじめ定められた特定循環周に、
当り確率を変動させることなく、
　【請求項２】　予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、
図柄組合わせ表示装置の当たり、外れは入賞に伴ってあらかじめ乱数表を選択することにより決定されている
図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、
　最後に図柄停止する図柄表示器に複数の所定図柄を循環表示し、乱数発生装置に基づいて不規則に選択された特定循環周に、
当り確率を上昇させることなく、
　【請求項３】　予め定められた種々の図柄を変動表示する複数の図柄表示器によって構成され、球検知装置を備えた始動口を遊技球が通過すると、球検知装置からの球検知信号に基づいて各図柄表示器の表示図柄が変動を開始し、停止して種々の組合わせの図柄を表示する図柄組合わせ表示装置と、前記図柄組合わせ表示装置の各停止図柄が所定の組合わせである場合に開放作動する特別入賞口とを備え、
図柄組合わせ表示装置の当たり、外れは入賞に伴ってあらかじめ乱数表を選択することにより決定されている
図柄組合わせ表示装置の図柄表示器のうちいずれかを最後に図柄停止させ、この最後に図柄停止する図柄表示器以外の図柄表示器が所定の組合わせ図柄となったときに、最後に図柄停止する図柄表示器の図柄変動速度を低速変動させると共に、
　最後に図柄停止する図柄表示器に複数の所定図柄を循環表示し、先行して停止した図柄表示器の図柄内容に対応する所定条件に基づき、
当り確率を上昇させることなく、
【発明の詳細な説明】
　【０００１】
　【産業上の利用分野】
　本発明は、所定の組合わせにより大入賞口を開放させる図柄組合わせ表示装置を備えたパチンコ機に関する。
　【０００２】
　【従来の技術】
　予め定められた種々の図柄を変動表示する複数の図柄表示器によって構成され、球検知装置を備えた始動ゲートを遊技球が通過すると、球検知装置からの球検知信号に基づいて各図柄表示器が図柄変動を開始し、停止して種々の組合わせの図柄を表示する図柄組合わせ表示装置と、該図柄組合わせ表示装置の各停止図柄が所定の組合わせである場合に開放作動する特別入賞口とを備えたものは、「フィーバー式遊技機」と称され、種々提案されている。
　【０００３】
　【発明が解決しようとする課題】
　ところで上述の図柄組合わせ表示装置にあっては、図柄組合わせ表示装置の図柄表示器のうちいずれかを最後に図柄停止させ、この最後に図柄停止する図柄表示器以外の図柄表示器が所定の組合わせ図柄となったとき、すなわちその図柄表示器の表示が所定の組合わせとなる直前となった場合（以下、リーチ状態という）に、最後の図柄表示器の図柄変動速度を低速として、その期待感を高めるようにした構成が提案されている。
　本発明は、さらにリーチ状態での期待感を高めると共に、意外性のある構成を提供してパチンコ遊技の興趣を増大することを目的とするものである。
　【０００４】
　【課題を解決するための手段】
　本発明の第一手段は、リーチ状態で、最後に図柄停止する図柄表示器の図柄変動速度を低速変動させると共に、最後に図柄停止する図柄表示器に複数の所定図柄を循環表示し、あらかじめ定められた特定循環周に、
当り確率を上昇させることなく、
　【０００５】
　また第二手段は、リーチ状態で、最後に図柄停止する図柄表示器の図柄変動速度を低速変動させると共に、最後に図柄停止する図柄表示器に複数の所定図柄を循環表示し、乱数発生装置に基づいて不規則に選択された特定循環周に、
当り確率を上昇させることなく、
　【０００６】
　さらに第三手段は、リーチ状態で、最後に図柄停止する図柄表示器の図柄変動速度を低速変動させると共に、最後に図柄停止する図柄表示器に複数の所定図柄を循環表示し、先行して停止した図柄表示器の図柄内容に対応する所定条件に基づき、
当り確率を上昇させることなく、
　【０００７】
　【作用】
　従来にあっては、リーチ状態となると所定数の図柄が所定順序で、循環表示されるが、本発明の上記各手段にあっては、リーチ状態で、所定循環図柄とは別に、当たり組み合わせとなる図柄（以下当たり図柄という）が、急に付加されて出没することとなる。
　【０００８】
　例えば、「５，５」でリーチ状態となると、オールマイティーの当たり図柄である「当」図柄が出没したり、又は「５」が余分に表示されると言った形態を取り得る。このため、遊戯者は、新たな期待感を醸成される。
　【０００９】
　この当たり図柄の出没手段としては、第一手段にあっては、定期的に表われることとなり、第二手段にあっては不規則に表われる。また第三手段にあっては、例えば、先行して、他の図柄表示器が「７，７」を表示した場合には、他の図柄に比して増加数が多くなったり、頻繁に出没するといった形態を取り得る。
　【００１０】　
　【実施例】
　添付図面について本発明の一実施例を説明する。
　図１は、パチンコ機１の正面図であって、その機枠２の図示しない下部には玉受皿と、玉発射用の回転式ハンドル等が設けられる。遊技盤３の盤面中央には、図２で拡大して示すように装着ケース（図示せず）の前部に固定されたセンターケース４が配設され、該センターケース４内に図柄組合わせ表示装置６を構成する三個の表示器７ａ，７ｂ，７ｃが横方向に並設され、センターケース４の中央に形成した窓孔５から透孔板を介して表示器７ａ，７ｂ，７ｃの表面に配設されたドットマトリックスまたは７セグメント指示器からなる図柄表示部を視認し得るようにしている。
　【００１１】
　またセンターケース４の窓孔５下には四個のパイロットランプからなる待機記録ランプ列１１が設けられ、さらに窓孔５上には、普通図柄表示器１０が配設される。
　【００１２】
　前記図柄表示器７ａ，７ｂ，７ｃ及び普通図柄表示器１０はＬＥＤ又は液晶によって構成され、図柄表示器７ａ，７ｂ，７ｃは、「１」〜「９」等、数字及びアルファベットからなる７セグメント指示器で表現可能な図柄が表示され、普通図柄表示器１０は夫々「３」，「５」，「７」の図柄を変動表示する。
　【００１３】
　また、センターケース４の両側には、光電スイッチ、リミットスイッチ等により構成される球検知装置（図示せず）を備えた普通図柄表示器１０を遊技球の流入により駆動する始動ゲート１３，１３が設けられ、遊技球の通過により該球検知装置による球検知信号が発生すると、普通図柄表示器１０が図柄変動し、その停止図柄の数字が「７」であると、センターケース４の直下位置に配設した入賞口開閉装置１５の開閉翼片対１６，１６が約５．８秒間開放する。
　【００１４】
　この入賞口開閉装置１５はその上部を始動口１４として、図柄組合わせ表示装置６を駆動して表示器７ａ，７ｂ，７ｃを図柄変動表示するものとして設けられているものであり、その開閉翼片対１６，１６の起立状態で、始動口１４からの遊技球の落入のみを有効とする閉鎖位置と、開閉翼片対１６，１６が逆八形傾動してその側方をも始動口として、内部へ遊技球を案内する開放位置とに電気的駆動手段を介して変換制御されるものである。
　【００１５】
　そして前記入賞口開閉装置１５内の玉流路には光電スイッチ、リミットスイッチ等により構成される球検知スイッチが備えられ、該球検知スイッチによる玉通過検知に伴って、図柄組合わせ表示装置６を駆動すると共に、連続的に通過した場合には、待機記録ランプ列１１が順次点灯し最高四回まで保留される。またこの作動と共に、遊技球の通過に伴って所定数の景品球が提供される。
　【００１６】
　前記入賞口開閉装置１５のさらに下方には、幅広の特別入賞口２３を備えた入賞装置２２が配設されている。この入賞装置２２は、蓋体２４をソレノイドにより前後方向に開放することにより、該蓋体２４の案内作用により、特別入賞口２３に遊技球を案内する公知構成からなり、前記特別入賞口２３の中央部を特定領域２３ａとして、後述するように該特定領域２３ａに遊技球が入ると、連続開放作動を生ずるようにしている。
　【００１７】
　次に図柄組合わせ表示装置６の作動につき説明する。
　前記始動口１４又は開放された入賞口開閉装置１５の側方から遊技球が流入すると、景品球の供給と共に図柄組合わせ表示装置６が駆動する。尚、連続的に通過した場合には、上述のように待機記録ランプ列１１が順次点灯し最高四回まで保留される。
　【００１８】
　そして図柄組合わせ表示装置６が駆動すると、図柄表示器７ａ，７ｂ，７ｃは図柄変動を開始し、約５秒程度経過すると、図柄表示器７ａ，７ｂ，７ｃの順番に図柄変動が図柄停止する。この図柄組合わせ表示装置６の当たり、外れは前記始動口１４への入賞に伴って、あらかじめ乱数表を選択することによりその変動を生ずる前に決定されている。
　【００１９】
　このとき図柄表示器７ａと図柄表示器７ｂの図柄が一致した場合にはいわゆるリーチ状態となり、図柄表示器７ｃが図柄を視認可能なように低速変動する。この変動速度を不定変化させて、変化に富んだ変動状態を生じさせても良い。すなわち図柄表示器７ａ，７ｂ，７ｃの表示図柄は「１」〜「９」までの９個であって、「１」から出発して「９」に至る順序であらかじめ定められている。そこで図柄表示器７ｃはその順序に従って、所定の停止図柄となるまで変動することとなる。
　【００２０】
　この変動制御は、図３で示す中央制御装置ＣＰＵ等からなる制御指令手段により実行される。
　ところで、本発明にあっては、上述の一巡表示図柄は９個であり、「１」から出発して「９」に至る循環を数度繰り返すが、この循環周のうちあらかじめ定められた特定循環周に、当たり図柄を増加させるようにしている。例えば、「当」をオールマイティーとし、「１，１，１」、「２，２，２」等の同一数字のみならず、「１，当，１」、「２，当，２」等も当たり組み合わせとするなら、偶数循環周では、「１」から出発し、「９」の次にさらに「当」の文字が突然表出するようにする。そして、これにより、遊戯者の目は、出没する図柄に注がれ、当たり表示の可能性に対する期待を大いに刺激されることとなる。そして、この突如出没する「当」で、大当りとなったときには、本来の満足感以上の幸運を味わうことができる。
　【００２１】
　この、「当」に代えて、例えば左右の図柄表示器が「５」で揃った場合には、当たり図柄「５」の数字を余分に付加するようにしても良い。また、この当たり図柄である「当」または「５」（例）は、二巡置き、三巡置き等種々のパターンが提案され得る。また当たり図柄の出没数も種々提案され得る。さらには、中当たりを示す「Ｖ」の図柄を出没させるようにしても良い。
　【００２２】
　この「当」の図柄が表出する循環周は、乱数発生装置を用いて不規則なものとすることができる。この乱数発生装置としては、例えば、図３で示す中央制御装置ＣＰＵ内のリフレッシュカウンターを用いても良い。すなわち、図柄表示器７ａ，７ｂが停止して同一図柄となると、中央制御装置ＣＰＵ内のりフレッシュカウンターの下位２ビットを抽選することにより、その四値に対応してあらかじめ決定された四種の図柄順序のうちいずれかが選定される。
　【００２３】
　この四値と、図柄順序の関係は、例えば、「０」値の場合には「１」から出発して、「９」までのみを一巡とし、「１」値の場合には最後尾に「当」の文字を表出させ、「２」値の場合には、最後尾に「当」の文字を二回連続して表出させ、「３」値の場合には「当」の文字を三回連続して表出させる等の、表示態様を選定する。これにより、遊戯者は、いやがうえにも、期待感を触発されることとなる。尚、この表示態様は単なる一例であって、例えば「０」値の場合にのみ当たり図柄を付加するようにしてもよく、また「当」を非連続に出没させるようにしても良い。このように、当たり図柄の出没態様は、その他種々提案され得る。
　【００２４】
　この表示態様は、先行して表示される左右の図柄表示器７ａ，７ｂの表示内容により、選定されるようにすることもできる。すなわち、例えば、左右が「７」で揃った場合にのみ、「当」の文字を最後尾に付加するようにする。または、先行して表示される図柄に対応して、当たり図柄の一巡あたりの出没数を変化させるようにしても良い。
　【００２５】
　
上述したように、この図柄組合わせ表示装置６の当たり、外れは前記始動口１４への入賞に伴って、あらかじめ乱数表を選択することによりその変動を生ずる前に決定されている。このため、前記各表示変動は、当たり確率が上昇したかに見えるだけであり、見掛け上、当たり図柄が表出したとしても、実際の確率には変動がない。
　【００２６】
　これらの各制御は図３で示すように中央制御装置ＣＰＵにより構成される制御指令手段により実行されることとなる。
　【００２７】
　以上は、三個の図柄表示器７ａ，７ｂ，７ｃを適用したものであるが、図４のように二個の図柄表示器３１ａ，３１ｂにより構成した図柄組合わせ表示装置３０を適用することもできる。この場合には、例えば、図柄表示器３１ａ，３１ｂが「７．７」，「３．３」のように、特定の組合わせの場合に、大当りとする構成にあっては、前記図柄表示器３１ａが、「７」又は「３」となった場合に、リーチ状態として、図柄表示器３１ｂに当たり図柄を出没するようにしても良い。
　【００２８】
　上述したリーチ状態にあって、音楽をその状態に対応するものに変換するようにしても良い。これは図３に示すように中央制御装置ＣＰＵに接続されたスピーカーを制御する音処理装置により実行される。
　【００２９】
　そして図柄表示器７ｃが図柄停止して図柄表示器７ａ，７ｂ，７ｃが例えば「１，１，１」、「２，２，２」、「３，３，３」、「４，４，４」等、数字又はアルファベットからなる図柄が同一となった場合には、「大当り」となって報知装置がファンファーレを発すると共に、入賞装置２２のソレノイドが駆動して、蓋体２４が前方に傾動して特別入賞口２３が開放し、約１０個の遊戯球が入賞するか、所定時間が経過するまで開放を行う。この特別入賞口２３にあっては、特定領域２３ａを通過した時は、連続駆動し、その開放動作終了後に再び特別入賞口２３が解放する。この連続作動の回数は、初回開放を含め最高１６回までとする。
　【００３０】
　【発明の効果】
　本発明は、本発明の上記各手段にあっては、リーチ状態で、基本循環図柄とは別に、当たり図柄が、急に増加して出没することとなる。
　このため、遊戯者の目は、出没する図柄に注がれ、当たり表示の可能性に対する期待を大いに刺激されると共に、この突如出没する図柄で当りとなったときには、本来の満足感以上の幸運を味わうことができるものであり、意外感と、期待感とを醸成され、パチンコ遊戯の興趣を増大し得る等の優れた効果がある。
【図面の簡単な説明】
　【図１】
　本発明のパチンコ機１の機枠２を示す正面図である。
　【図２】
　本発明の図柄組合わせ表示装置６の正面図である。
　【図３】
　中央制御装置ＣＰＵを示すブロック回路図である。
　【図４】
　本発明の図柄組合わせ表示装置３０の正面図である。
　【符号の説明】
　１　パチンコ機
　６　図柄組合わせ表示装置
　７ａ，７ｂ，７ｃ　図柄表示器
　１４　始動口
　１５　入賞口開閉装置
　２２　入賞装置
　２３　特別入賞口
　３０　図柄組合わせ表示装置
　３１ａ，３１ｂ　図柄表示器